(57)【要約】【課題】カード挿入口を、容易に且つコストを抑えながら電子機器筐体に設けることができる、電子機器筐体のカード挿入部の構造を提供する。  【解決手段】デジタル・アナログコンバータユニット１の筐体２を、カードスロット５が組み付けられているシャーシ６と、シャーシ６を覆うカバー７とで構成し、カードスロット５の差込口２３の前方において、シャーシ６とカバー７との間に、ＩＣカード１００の挿入方向と直交する断面形状にほぼ一致するとともに、ＩＣカード１００を挿通可能な大きさの隙間４２を設けることにより、ＩＣカード挿入部４３を形成する。そして、ＩＣカード挿入部４３において、隙間４２の一部に、隙間４２を広げて拡張部４５を形成し、シャーシ６及びカバー７の少なくとも一方に、隙間４２を構成する端部からカードスロット５の差込口２３の方向に延設してガイド部２９を設ける。【選択図】図９
2010192765.tif 000002
【特許請求の範囲】
【請求項１】
カードスロットを内蔵した電子機器筐体におけるカード挿入部の構造であって、
前記電子機器筐体が、前記カードスロットが組み付けられているシャーシと、当該シャーシを覆うカバーとからなり、前記カードスロットの差込口の前方において、前記シャーシと前記カバーとの間に、前記カードの挿入方向と直交する断面形状にほぼ一致するとともに、前記カードを挿通可能な大きさの隙間を設けることにより、前記カード挿入部が形成され、
当該カード挿入部において、前記隙間の一部には、当該隙間の間隔を広げて拡張部が形成されており、前記シャーシ及び前記カバーの少なくとも一方に、前記隙間を構成する端部から前記カードスロットの差込口の方向に延設してガイド部が設けられていることを特徴とする電子機器筐体のカード挿入部の構造。
【請求項２】
少なくとも前記シャーシが板金製であり、前記ガイド部が、前記隙間を構成する前記シャーシの前記端部において曲げ加工を行なうことにより設けられていることを特徴とする請求項１記載の電子機器筐体のカード挿入部の構造。
【請求項３】
前記拡張部が、挿入される前記カードの表面に設けられているＩＣチップが通過する位置に形成されていることを特徴とする請求項１又は２記載の電子機器筐体のカード挿入部の構造。
【発明の詳細な説明】
【技術分野】
【０００１】
本発明は、例えば、テレビジョン放送用のヘッドエンド装置などの電子機器筐体におけるカード挿入部の構造に関する。
【背景技術】
【０００２】
電子機器筐体の前面に、プラスチック製のパネルが取り付けられ、当該パネルに、カードスロットにカードを差し込むための挿入口が一体形成されている構造は、実用化され既に周知技術となっている。例えば、特許文献１の具体例によれば、扁平な箱形状の電子機器５０の正面にパネル５１が配設されており、パネル５１は、そのＸ２側の端寄りの箇所に、全高さに亘って表面に対してＹ１方向に凹んでいる凹段部５２を有し、この凹段部５２に、カードを挿入するためのカード挿入スロット５３が形成されている。
【先行技術文献】
【特許文献】
【０００３】
【特許文献１】特開２００８−８５０６６号公報（第４頁、第１、２、５図）
【発明の概要】
【発明が解決しようとする課題】
【０００４】
しかしながら、カード挿入口を、電子機器の筐体とは別に設けたパネルに形成するとなれば、筐体への組み付けなど、パネルに係る製造工程が必要になるとともに、パネル用に金型を起こす必要があるためコストも嵩む。
【０００５】
そこで、本発明は、電子機器筐体のカード挿入口を、容易に且つコストを抑えながら筐体に設けることができる、電子機器筐体のカード挿入部の構造の提供を目的としている。
【課題を解決するための手段】
【０００６】
請求項１記載に係る電子機器筐体のカード挿入部の構造は、カードスロットを内蔵した電子機器筐体におけるカード挿入部の構造であって、
前記電子機器筐体を、前記カードスロットが組み付けられているシャーシと、当該シャーシを覆うカバーとで構成し、前記カードスロットの差込口の前方において、前記シャーシと前記カバーとの間に、前記カードの挿入方向と直交する断面形状にほぼ一致するとともに、前記カードを挿通可能な大きさの隙間を設けることにより、前記カード挿入部を形成し、
当該カード挿入部において、前記隙間の一部に、当該隙間を広げて拡張部を形成し、前記シャーシ及び前記カバーの少なくとも一方に、前記隙間を構成する端部から前記カードスロットの差込口の方向に延設してガイド部を設けていることを特徴としている。
【０００７】
この電子機器筐体のカード挿入部の構造によれば、前記カードが、前記隙間と前記カイド部とにより、内蔵されている前記カードスロットの前記差込口に案内されるため、確実に前記カードスロットに差し込むことができる。さらに、前記隙間の一部には、当該隙間を広げて前記カードを持つ指が入る程度の前記拡張部を形成しているため、前記カードを持つ指に、前記シャーシや前記カバーが干渉することを防ぐことができ、前記カードの前記カードスロットへの差込操作がし易くなる。しかも、前記カードの挿入部は、前記シャーシ及び前記カバーの一部として構成されるため、別途部品を設ける必要がなく、部品点数を抑えることができる。
【０００８】
請求項２に係る電子機器筐体のカード挿入部の構造は、少なくともシャーシを板金製とし、ガイド部を、隙間を構成する前記シャーシの端部において曲げ加工を行なうことにより設けることを特徴としている。この電子機器筐体のカード挿入部の構造によれば、簡単な前記シャーシの加工により、前記ガイド部を設けることができ、しかも、パネルが不要になるため、パネルに係る製造工程やコストを省くことができる。
【０００９】
請求項３に係る電子機器筐体のカード挿入部の構造は、拡張部を、挿入されるカードの表面に設けられているＩＣチップが通過する位置に形成することを特徴としている。この電子機器筐体のカードの挿入部の構造によれば、前記カードを筐体に挿入する際、前記カードの表面に設けられている前記ＩＣチップが、シャーシ又はカバーに接触することを防ぐことができる。
【発明の効果】
【００１０】
請求項１に係る電子機器筐体のカード挿入部の構造は、カードがカードスロットから逸れる誤挿入が生じないカードの挿入部を、簡単且つコストを抑えながら設けることができる。また、カードを持つ指に、シャーシやカバーが干渉しにくいため、カードのカードスロットへの差し込みを容易に行うことができる。
【００１１】
請求項２に係る電子機器筐体のカード挿入部の構造は、シャーシに曲げ加工を行なうことで、ガイド部を設けることができるため、製造工程の簡略化を図るとともに、コストを抑えることができる。
【００１２】
請求項３に係る電子機器筐体のカード挿入部の構造は、カードの表面に設けられたＩＣチップを傷つけることなく、カードスロットに差し込むことができる。
【図面の簡単な説明】
【００１３】
【図１】本発明に係るカード挿入部を備えたデジタル・アナログコンバータユニットの実施形態を示し、（ａ）は平面図、（ｂ）は右側面図。
【図２】図１（ｂ）におけるＡ−Ａ矢視方向断面図。
【図３】デジタル・アナログコンバータユニットが、ラックに収納されている状態を示すラックの正面図。
【図４】（ａ）は図１に示すデジタル・アナログコンバータユニットのシャーシの平面図、（ｂ）は右側面図。
【図５】図４（ｂ）におけるＢ−Ｂ矢視方向断面図。
【図６】（ａ）は図１に示すデジタル・アナログコンバータユニットのカバーの平面図、（ｂ）は図（ａ）におけるＣ−Ｃ矢視方向断面図。
【図７】（ａ）は図１に示すデジタル・アナログコンバータユニットに内蔵されているカードスロットの右側面図、（ｂ）はカードスロットの平面図。
【図８】（ａ）はシャーシにカバーを取り付けた状態を示すデジタル・アナログコンバータユニットの平面図、（ｂ）はＩＣカード挿入部を塞ぐ蓋の平面図。
【図９】（ａ）はカード挿入部にＩＣカードを挿入している状態を示すデジタル・アナログコンバータの奥行き方向の縦断面図、（ｂ）は図（ａ）の部分拡大図。
【図１０】挿入されたＩＣカードをカードスロットに差し込んだ状態を、図４（ｂ）を用いて示した図。
【図１１】（ａ）はカードスロットにＩＣカードが差し込まれた状態を、図７（ａ）を用いて示した図、（ｂ）は図（ａ）におけるＤ−Ｄ矢視方向断面図、（ｃ）はＩＣカード挿入部を蓋で塞いだ状態を、図２を用いて示した部分拡大図。
【発明を実施するための形態】
【００１４】
本発明に係る電子機器筐体のカード挿入部の構造の実施形態について、図１〜図１１を参照しつつ説明する。
【００１５】
図１（ａ）は、テレビジョン放送のヘッドエンド装置であるデジタル・アナログコンバータユニット１の平面図を示し、図１（ｂ）は右面図を示している。これらの図１（ａ）、（ｂ）に示すように、デジタル・アナログコンバータ１は、扁平な縦長の筐体２に、図２の断面図に示すように、チューナ回路基板３と変調回路基板４、及びＩＣカード１００を差し込むカードスロット５が内蔵されている。このデジタル・アナログコンバータユニット１は、地上デジタル放送のチャンネルを、既存のアナログテレビで視聴できるようにするため、デジタル放送信号をアナログ放送信号に変換できるようになっており、図３に示すように、チャンネル数に応じた数のデジタル・アナログコンバータユニット１が、電源ユニット２０１と共に、ラック２００に収納されている。
【００１６】
デジタル・アナログコンバータユニット１の筐体２は、板金製であり、チューナ回路基板３と変調回路基板４、及びＩＣカード１００を差し込むカードスロット５が組み付けられていて、図４及び図５の断面図に示すシャーシ６と、シャーシ６を覆うカバー７とで構成されている（図６）。
【００１７】
シャーシ６は、筐体２の左側面を構成する矩形状の筐体左側面板８の各辺に、折り曲げ加工によって、上下カバー取付部９、１０や筐体２の筐体正面板１１及び筐体背面板１２が設けられている。これらの上下カバー取付部９、１０と筐体正面板１１及び筐体背面板１２は、筐体２の内側方向に直角に折り曲げることによって設けられており、上下カバー取付部９、１０は、筐体左側面板８の上下にそれぞれ位置し、筐体正面板１１及び筐体背面板１２は、筐体左側面板８の両側縁にそれぞれ位置している。そして、筐体正面板１１には、チャンネル表示部を備えた縦長長方形状のパネル１３が取り付けられており、同パネル１３の上下両端部には、デジタル・アナログコンバータユニット１を、図示しない電子機器用筐体に螺子止めする際に用いる取付螺子１４、１５が設けられている。
【００１８】
図４（ａ）の平面図及び図４（ｂ）の右側面図、そして、図５の断面図に示すように、シャーシ６に組み付けられているチューナ回路基板３は、メイン基板１６とサブ基板１７とで構成されており、メイン基板１６が、シャーシ６の筐体２の上側において、メイン基板取付部１８に固定されている。サブ基板１７は、メイン基板１６上に設けられているサブ基板取付部１９と、上カバー取付部９に形成されているサブ基板取付部２０とに、メイン基板１６と間隔を設けた状態で固定されている。上カバー取付部９に形成されているサブ基板取付部２０は、上カバー取付部９において、筐体２の厚み方向に突出するように設けられている門型部分２１の横渡し部を、下方に直角に折り曲げることによって設けられている。そして、シャーシ６の下側において、変調回路基板４が、変調基板取付部２２に固定されて配設されている。
【００１９】
チューナ回路基板３のメイン基板１６とサブ基板１７との間には、カードスロット５が、差込口２３を上方に向け、且つＩＣカード１００の長さに応じた距離を上カバー取付部９から設けて、メイン基板１６上に固定されている。カードスロット５は、図７に示すように、扁平な矩形状に形成されており、一側面に差込口２３が設けられている。差込口２３の内部には、差し込まれたＩＣカード１００を、対面して配設されている第１突起部２４に押し付けた状態で保持し、且つＩＣカード１００のＩＣチップ１０１と接触する接触端子２５が、第１突起部２４の方向に付勢された状態で設けられている。同接触端子２５のさらに奥には、対面して配設されている第２突起部２７に、差し込まれたＩＣカード１００を押し付けた状態で保持することができるストッパー用バネ２８が、第２突起部２７の方向に付勢された状態で設けられている。
【００２０】
また、上カバー取付部９において、カードスロット５の差込口２３の前方に位置する箇所には、門型部分２１の内側にあって、筐体２の厚み方向に突出したのち、先端部を下方に向かって直角に屈曲させた断面逆Ｌ字型のガイド部２９が、間隔をあけて二個設けられている。そして、カバー７を螺子止めするための螺子孔３５が、門型部分２１と、門型部分２１から筐体背面板１２寄りにおいて、筐体２の厚み方向に突出して形成されている取付片３６とに設けられている。
【００２１】
一方、シャーシ６に設けられている筐体正面板１１及び筐体背面板１２には、先端部を筐体２の内側に屈曲させて断面Ｌ字型に形成し、螺子孔４１を備えたカバー７の取付部３０、３１が設けられている。また、筐体背面板１２の上部には、筐体２の内部の換気を行なうための空冷用ファン３２が配設され、空冷用ファン３２の下方には、端子３３、３４が二箇所に設けられている。
【００２２】
それから、カバー７は、筐体２の右側面を構成する矩形状の筐体右側面板３７において、上下各辺に、折り曲げ加工によって、筐体２の筐体上面板３８及び筐体底面板３９が設けられている。筐体上面板３８と筐体底面板３９とは、筐体２の内側方向に直角に折り曲げられているため、カバーは、コの字型の断面形状になっている。そして、カバー７の筐体上面板３８には、先端部に凸型の切欠き部４０が形成されている。
【００２３】
以上のように構成されているシャーシ６にカバー７を被せ、シャーシ６の上下カバー取付９、１０の螺子孔３５と、筐体正面板１１及び筐体背面板１２の取付部３０、３１の螺子孔４１とにより、カバー７を螺子止めして固定する。すると、図８（ａ）に示すように、筐体上面板３８におけるカードスロット５の差込口２３の前方に位置する箇所に、シャーシ７とカバー７との間に隙間４２が設けられてＩＣカード挿入部４３が形成される。隙間４２は、カバー７の切り欠部４０とガイド部２９とによって構成されており、筐体２の奥行き方向と平行な部分のうち、筐体左側面板８寄りの二箇所の部分４４と、シャーシ６のガイド部２９との間隔が、ＩＣカード１００の厚みにほぼ一致し、且つＩＣカード１００を挿通可能な大きさになっている。隙間４２は、その幅方向においても、ＩＣカード１００の挿入方向と直交する幅方向の長さにほぼ一致し、且つＩＣカード１００を挿通可能な大きさになっている。そして、中央部には、隙間４２の間隔を広げるようにして拡張部４５が形成されている。この拡張部４５は、ＩＣカード１００を持つ指が入る程度の大きさになっており、挿入されるＩＣカード１００のＩＣチップ１０１が通過する位置に設けられている。
【００２４】
このＩＣカード挿入部４３には、シャーシ６の端部から、カードスロット５の差込口２３の方向に延設した状態になっているガイド部２９により、挿入されたＩＣカード１００を、カードスロット５の差込口２３に案内することができる。そして、挿入されたＩＣカード１００が不用意に抜き取られないようにするための蓋４６が、カバー７に設けられている螺子孔４７を利用して、螺子止めにより取り付けることができるようになっている。
【００２５】
次に、上記のＩＣカード挿入口４３を備えたデジタル・アナログコンバータユニット１に、ＩＣカード１００を挿入する場合について説明を行なう。
【００２６】
図９（ａ）、（ｂ）に示すように、ＩＣカード１００を、ＩＣチップ１０１が設けられている面を、筐体２の左側面方向に向けて、長手方向を縦向きにしてＩＣカード挿入口４３に挿入する。ＩＣカード１００は、シャーシ６とカバー７との隙間４２及びガイド部２９により方向が逸れることがなく、奥にあるカードスロット５の差込口２３に案内される。この際、隙間４２の拡張部４５によって、ＩＣチップ１０１とシャーシ６との接触が避けられる。そして、さらにＩＣカード１００を押し込むことにより、ＩＣカード１００をカードスロット５に差し込む。ＩＣカード１００をカードスロット５に差し込む際、ＩＣカード挿入口４３の拡張部４５によって、ＩＣカード１００を持った指に、シャーシ６やカバー７が干渉することがなく、ＩＣカード１００をカードスロット５に楽に差し込むことができる。図１０に示すように、カードスロット５に差し込まれたＩＣカード１００は、図１１（ａ）、（ｂ）に示すように、接触端子２５と第１突起部２４との間及びストッパー用バネ２８と第２突起部２７との間で挟まれて保持される。そして、図１１（ｃ）に示すように、接触端子２５によってＩＣチップ１０１に記録されている情報が読み取られる。ＩＣカードは、この状態でも脱落することはないが、不用意に抜き取られることを防止するため、蓋４６をカバー７に螺子止めしてＩＣカード挿入口４３を塞ぐ。なお、カードについては、ＩＣカードを用いて説明したが、磁気カードを用いてもよく、その際は、スロット内に、磁気を読み取る装置を設けておけばよい。
【符号の説明】
【００２７】
１          デジタル・アナログコンバータユニット
２          筐体
３          チューナ回路基板
４          変調回路基板
５          カードスロット
６          シャーシ
７          カバー
８          筐体左側面板８
９          上カバー取付部
１０        下カバー取付部
１１        筐体正面板
１２        筐体背面板
１３        パネル
１４、１５  取付螺子
１６        メイン基板
１７        サブ基板
１８        メイン基板取付部
１９、２０  サブ基板取付部
２１        門型部分
２２        変調回路基板取付部
２３        差込口
２４        第１突起部
２５        接触端子
２７        第２突起部
２８        ストッパー用バネ
２９        ガイド部
３０、３１  取付部
３２        空冷用ファン
３３、３４  端子
３５        螺子孔
３６        取付片
３７        筐体右側面板
３８        筐体上面板
３９        筐体底面板
４０        切欠き部
４１        螺子孔
４２        隙間
４３        カード挿入部
４４        部分
４５        拡張部
４６        蓋
１００      ＩＣカード
１０１      ＩＣチップ
【図１】
2010192765.tif 000003
【図２】
2010192765.tif 000004
【図３】
2010192765.tif 000005
【図４】
2010192765.tif 000006
【図５】
2010192765.tif 000007
【図６】
2010192765.tif 000008
【図７】
2010192765.tif 000009
【図８】
2010192765.tif 000010
【図９】
2010192765.tif 000011
【図１０】
2010192765.tif 000012
【図１１】
2010192765.tif 000013